(57)【要約】【課題】  配管の先端の噴出口から水流を噴出するセンサ洗浄装置では、配管の噴出口から噴出される水流を強くしても、気泡や、バクテリア、アオコ又は汚れが取りきれないという問題がある。【解決手段】  センサ６の近傍に回転軸７の上部が支持体（図示せず）によって装着され、この回転軸７の下端に回転羽根８が固着され、又、回転羽根８にワイパー９が固着され、このワイパー９は超音波が透過し易い物質で構成され、又、このワイパー９の上面に洗浄面９ａが形成され、この洗浄面９ａはセンサ６の超音波照射面と接触するように構成され、さらに、回転羽根８の近傍に配管１０の噴出口１０ａが装着され、配管１０は水供給装置１１に接続され、この噴出口９ａから水流が噴出するように構成されている。【選択図】図１
2006167672.tif 000002
【特許請求の範囲】
【請求項１】
汚泥槽又は浄化槽に装着したセンサから超音波を照射して、前記汚泥槽又は浄化槽内の汚泥のレベル又は濃度を検出するようにしたレベル又は濃度計において、前記センサの近傍に配置した回転軸でワイパーを回転可能に装着し、該ワイパーの洗浄部を前記センサの超音波照射面に接触させ、前記ワイパーを前記センサの近傍に配置した配管の先端の噴出口から噴出する水流によって回転することにより、前記センサの超音波照射面を洗浄することを特徴するセンサ洗浄装置。
【請求項２】
前記ワイパーを水流によって回転するために、前記ワイパーの回転軸に回転羽根を装着し、前記配管の先端の噴出口から噴出する水流で前記ワイパーを回転することを特徴とする請求項１記載のセンサ洗浄出装置。
【請求項３】
前記ワイパーを水流によって回転するために、前記ワイパーの側面に羽根を装着し、前記配管の先端の噴出口から噴出する水流で前記ワイパーを回転することを特徴とする請求項１記載のセンサ洗浄装置。
【請求項４】
前記ワイパーを水流によって回転するために、前記ワイパーは回転羽根で構成し、前記配管の先端の噴出口から噴出する水流で該回転羽根を回転し、前記超音波振動子を洗浄することを特徴とする請求項１記載のセンサ洗浄装置。
【発明の詳細な説明】
【技術分野】
【０００１】
本発明は、汚泥槽又は浄化槽に装着したセンサの超音波照射面を洗浄するようにしたセンサ洗浄装置に関するものである。
【背景技術】
【０００２】
従来、センサ洗浄装置として、図４に示すように、汚泥槽又は浄化槽１の汚水２の上面にセンサ３を装着し、汚水２に浸漬したセンサ３の照射面から汚水２内に超音波を照射して汚水２内に溜まった汚泥のレベルを検出するレベル計や、汚水２の濃度を検出する濃度計が提案されているが、このようなレベル計又は濃度計では、センサ３の照射面に発生した気泡や、バクテリア、アオコ又は汚れが付着すると、センサ３の音響インピーダンスが低下し、センサ３から照射する超音波を反射させたり、吸収して、超音波の送受波が阻害されるために、図５に示すように、水供給装置５に配管を接続し、この配管４の先端の噴出口４ａから水流を噴出して、センサ３の照射面を洗浄するようにするものが提案されている。
【０００３】
しかしながら、このように、水供給装置５から供給された配管４の先端の噴出口４ａから水流を噴出して、センサを洗浄するセンサ洗浄装置では、配管４の噴出口４ａから噴出される水流を強くした場合は気泡はとれるが、バクテリアやアオコ又は汚れが取りきれないという問題がある。
【発明の開示】
【発明が解決しようとする課題】
【０００４】
解決しようとする問題点は、配管の先端の噴出口から水流を噴出するセンサ洗浄装置では、配管の噴出口から噴出される水流を強くしても、気泡や、バクテリア、アオコ又は汚れが取りきれないという問題がある。
【課題を解決するための手段】
【０００５】
本発明では、汚泥槽又は浄化槽に装着したセンサから超音波を照射して、汚泥槽又は浄化槽内の汚泥のレベル又は濃度を検出するようにしたレベル又は濃度計において、回転軸に回転可能に装着されたワイパーの洗浄面をセンサの超音波照射面に接触するように配置し、センサの近傍に配置した配管の先端の噴出口から噴出する水流によってワイパーを回転し、ワイパーでセンサの超音波照射面を洗浄するものである。
【発明の効果】
【０００６】
本発明のセンサ洗浄装置では、ワイパーに回転羽根を装着し、配管の先端の噴出口から流水を噴出して回転羽根を回転し、ワイパーを回転して、ワイパーの洗浄面をセンサの超音波照射面に接触させて洗浄するようにしたので、気泡や、バクテリア、アオコ又は汚れが簡単に取れ、音響インピーダンスの低下やセンサにおける超音波の反射や吸収をなくし、超音波の送受波が阻害されることを防ぐことができる。
【発明を実施するための最良の形態】
【０００７】
本発明では、汚泥槽又は浄化槽に装着したセンサから超音波を照射して、汚泥槽又は浄化槽内の汚泥のレベル又は濃度を検出するようにしたレベル又は濃度計において、回転軸に回転可能に装着されたワイパーの洗浄面をセンサの超音波照射面に接触するように配置し、ワイパーの回転羽根にセンサの近傍に配置した配管の先端の噴出口から噴出する水流を吹き付けることによってワイパーを回転し、ワイパーでセンサの超音波照射面を洗浄するものである。
【実施例】
【０００８】
図１は本発明の実施例のセンサ洗浄装置の構成図で、センサ６の近傍に回転軸７の上部が支持体（図示せず）によって装着され、この回転軸７の下端に回転羽根８が固着され、又、回転羽根８にワイパー９が固着され、このワイパー９は超音波が透過し易い物質で構成され、又、このワイパー９の上面に洗浄面９ａが形成され、この洗浄面９ａはセンサ６の超音波照射面と接触するように構成され、さらに、回転羽根８の近傍に配管１０の噴出口１０ａが装着され、配管１０は水供給装置１１に接続され、この噴出口９ａから水流が噴出するように構成されている。
【０００９】
このように構成された本実施例のセンサ洗浄装置では、配管１０の噴出口１０ａから水流が噴出されると、回転羽根８が回転することによって、ワイパー９が回転し、ワイパー９の上面の洗浄面９ａがセンサ６の超音波照射面をこすることによって、気泡やバクテリア、アオコ又は汚れがこすり取られて洗浄されるので、音響インピーダンスの低下やセンサにおける超音波の反射や吸収をなくし、超音波の送受波が阻害されることを防ぐことができ、又、こすり落とされた気泡やバクテリア、アオコ又は汚れは配管９の噴出口１０ａから噴出される水流によって遠くに流され、こすられた気泡やバクテリア、アオコ又は汚れがすぐに再度付着するようなことを防ぐことができ、又、ワイパー９が楕円形に構成されているので、センサ６を洗浄しない場合は、ワイパー９をセンサ６の照射面から離して置くことができるという利点がある。
【００１０】
図２は本発明の他の実施例のセンサ洗浄装置の構成図で、６はセンサ、７は回転軸、９はワイパー、１０は配管、１０ａは噴出口、１１は水供給装置でこれらの構成は上記実施例と同じであるので、説明は省略するが、本実施例では、回転羽根９ｂをワイパー９の側面に装着したものである。
【００１１】
このように構成した本実施例においても、配管１０の噴出口１０ａから噴出された水流がワイパー９の側面に装着された回転羽根９ｂに噴出されるので、ワイパー９が回転し、センサ６の照射面を洗浄することができ、又、このワイパー９は楕円形でもよいが、回転し易いように円形でもよい。
【００１２】
図３は本発明の他の実施例のセンサ洗浄装置の構成図で、６はセンサ、７は回転軸、９はワイパー、１０は配管、１０ａは噴出口、１１は水供給装置でこれらの構成は上記実施例と同じであるので、説明は省略するが、本実施例では、ワイパー９の上面を回転羽根８ｃに構成し、この回転羽根９ｃの上面に洗浄部を形成し、回転羽根９ｃの下部は配管１０の噴出口１０ａから噴出した水流が効率よく回転羽根９ｃに当たるように円板９ｄが設けられている。
【００１３】
このように構成した本実施例においても、配管１０の噴出口１０ａから噴出された水流がワイパー９の回転羽根９ｃに噴出されるので、ワイパー９が回転し、ワイパー９の回転羽根９ｃの上面の洗浄部でセンサ６の照射面を洗浄することができる。
【産業上の利用可能性】
【００１４】
なお、上記実施例において、上記３つの実施例以外にも、ワイパー９を配管１０の噴出口１０ａから噴出される水流で回転するものであれば、本発明の構成であることは言うまでもない。
【図面の簡単な説明】
【００１５】
【図１】本発明の実施例のセンサ洗浄装置の構成図である。
【図２】本発明の他の実施例のセンサ洗浄装置の構成図である。
【図３】本発明のさらに他の実施例のセンサ洗浄装置の構成図である。
【図４】センサを装着する汚泥槽又は浄化槽の構成図である。
【図５】従来のセンサ洗浄装置の構成図である。
【符号の説明】
【００１６】
６                センサ
７                回転軸
８                回転羽根
９                ワイパー
１０              配管
１１              水供給装置
【図１】
2006167672.tif 000003
【図２】
2006167672.tif 000004
【図３】
2006167672.tif 000005
【図４】
2006167672.tif 000006
【図５】
2006167672.tif 000007